(57)【特許請求の範囲】
【請求項１】
冷媒を圧縮する圧縮機と，該圧縮機からの冷媒を凝縮させる凝縮手段と，冷媒を蒸発させて冷気を発生させる蒸発器とが冷媒配管により順次配管されてなる冷凍サイクルを備えた冷凍冷蔵庫において，
前記凝縮手段が，冷媒の熱を外気に放熱させる第１凝縮器と，
冷媒の熱を庫内に放熱させる第２凝縮器とを有してなり，
前記第２凝縮器が，冷媒の熱を野菜室に放熱してなることを特徴とする冷凍冷蔵庫。
【請求項２】
前記第２凝縮器が，前記第１凝縮器の下流側に配設されてなることを特徴とする請求項１記載の冷凍冷蔵庫。
【請求項３】
少なくとも前記第２凝縮器と前記蒸発器との間に，前記圧縮機が停止した際に温度の高い冷媒が前記蒸発器に流入するのを防止する弁が設けられてなることを特徴とする請求項１又は２記載の冷凍冷蔵庫。
【発明の詳細な説明】
【０００１】
【発明の属する技術分野】
本発明は，圧縮機からの冷媒を効率的に凝縮させることができるようにした冷凍冷蔵庫に関する。
【０００２】
【従来の技術】
今日，一般家庭等において普及している冷凍冷蔵庫は，冷凍室，冷蔵室，野菜室等を有し，圧縮機，凝縮器，減圧装置及び蒸発器等からなる冷凍サイクルで発生した冷気により食品等を冷却している。
【０００３】
冷凍サイクルにおける冷気の発生は以下のように行われる。即ち，冷媒を圧縮機で圧縮して高温高圧のガスにし，これを凝縮器に供給して当該凝縮器を介して放熱することにより凝縮させる。
【０００４】
このとき凝縮器で放熱した冷媒の熱が，庫内温度を上昇させないように，外気に放熱するように構成されている。
【０００５】
当該凝縮により冷媒は液化し，キャピラリーチューブ等の減圧器で減圧又は絞られて，蒸発器に供給され，当該蒸発器で蒸発することにより冷気が発生する。
【０００６】
そして，当該冷気は，冷気通路等を経て冷凍室や冷蔵室等に送風されて，冷凍室等に収納された食品等が冷される。
【０００７】
【発明が解決しようとする課題】
しかしながら，従来の構成では凝縮器で冷媒の熱を放熱する際には，全て外気に放熱する構造であるため，放熱効率（即ち凝縮効率）が外気温により変化してしまう問題があった。
【０００８】
即ち，冷媒は凝縮器で放熱することにより凝縮するが，放熱効率は温度差に依存するため，夏場のように外気温が高いときは放熱量が少なくなり，当該凝縮器を通過する冷媒の一部しか凝縮せず，蒸発器で冷気発生に利用される冷媒量が少なくなる。
【０００９】
無論，凝縮器の構造等を工夫することにより当該凝縮器を通過する冷媒の全てを凝縮させることも原理的には可能であろうが，この場合には外気温により凝縮温度（過冷却度）が変化し，蒸発器で発生する冷気の温度が異なるようになる。
【００１０】
従って，夏場のように外気温が高い場合は，圧縮機の稼働時間が長くなり冷却効率が低下してしまう。
【００１１】
そこで，本発明は冷却効率を高めることができる冷凍冷蔵庫を提供することを目的とする。
【００１２】
【課題を解決するための手段】
上記課題を解決するため，請求項１にかかる発明は，冷媒を圧縮する圧縮機と，該圧縮機からの冷媒を凝縮させる凝縮手段と，冷媒を蒸発させて冷気を発生させる蒸発器とが冷媒配管により順次配管されてなる冷凍サイクルを備えた冷凍冷蔵庫において，凝縮手段を冷媒の熱を外気に放熱させる第１凝縮器と，冷媒の熱を庫内の野菜室に放熱させる第２凝縮器とにより形成する。これにより，圧縮機から吐出された冷媒の熱の一部を庫内の野菜室に放熱するようにして凝縮効率を高めたことを特徴とする。
【００１３】
請求項２にかかる発明は，第２凝縮器を第１凝縮器の下流側に配設して，効率的に凝縮効率が高められるようにしたことを特徴とする。
【００１４】
請求項３にかかる発明は，少なくとも第２凝縮器と蒸発器との間に，圧縮機が停止した際に温度の高い冷媒が蒸発器に流入するのを防止する弁を設けたことを特徴とする。
【００１６】
【発明の実施の形態】
本発明の実施の形態を図に基づき説明する。図１は，本発明にかかる冷凍冷蔵庫の断面図であり，図２はその冷凍サイクルを示す図である。
【００１７】
冷凍冷蔵庫は，外箱１１と該外箱１１内に配設された内箱１２を備え，当該外箱１１と内箱１２との間には断熱材１３が配設されている。内箱１２は中仕切１８により複数の部屋に区画されて，各部屋が冷蔵室１４，冷凍室１５及び野菜室１７等を形成している。
【００１８】
冷凍サイクルは，冷媒を圧縮する圧縮機２１，冷媒の熱を庫外（外気）に放熱する第１凝縮器２２，冷媒の熱を庫内に放熱する第２凝縮器２３，冷媒を減圧又は絞るキャピラリチューブ等の減圧器２４，冷媒を蒸発させる蒸発器２５等を有して，これらが冷媒配管により連結されている。
【００１９】
また，第２凝縮器２３と蒸発器２５との間及び圧縮機２１と蒸発器２５との間の冷媒配管中には，圧縮機２１が停止した際に当該圧縮機２１側の暖かい冷媒が蒸発器２５側に流入しないようにする差圧逆止弁２６が設けられている。
【００２０】
さらに，差圧逆止弁２６から蒸発器２５に向う減圧器２４は，当該蒸発器２５から差圧逆止弁２６に向う冷媒配管２７と熱交換するように形成されて（図２におけるハッチング領域），蒸発器２５から流出する冷媒により当該蒸発器２５に流入する冷媒を冷却するようになっている。
【００２１】
そして，冷凍室１５の後部に蒸発器２５が配設され，蒸発器２５の上部にファン２８が配設されている。また，野菜室１７の後部には圧縮機２１が配設されている。
【００２２】
無論，蒸発器２５，ファン２８及び圧縮機２１等の配設位置は本発明を限定するものではないことを敢て付言する。
【００２３】
冷凍冷蔵庫の側面部であって，断熱材１３と外箱１１の間には第１凝縮器２２（図１においいて図示省略する）が配設され，野菜室１７をなす内箱１２の底部と断熱材１３との間に第２凝縮器２３が配設されている。
【００２４】
次に上記構成の冷凍冷蔵庫の動作を説明する。冷媒は圧縮機２１で圧縮されて高温高圧のガス冷媒となり，第１凝縮器２２に供給され，当該第１凝縮器２２で冷媒は外気に放熱して凝縮する。
【００２５】
このとき，外気温が高いような場合には，十分に放熱することができず，冷媒の一部がガス状態のままとなったり，全て液化してもその凝縮温度を低くすることができない。
【００２６】
そこで，第１凝縮器２２からの冷媒を第２凝縮器２３に供給して，当該第２凝縮器２３で野菜室１７に放熱する。野菜室１７は，外気よりも温度が低く，かつ，夏場及び冬場を問わず略一定しているので，効率的に冷媒を凝縮させることが可能になる。
【００２７】
このとき野菜室１７に放熱された熱により，当該野菜室１７の温度が上昇してしまうことが懸念されるが，野菜室１７はあまり低温にする必要がなく，従来においても冷えすぎを防止するためにヒータ加熱を適宜行うようになっている。
【００２８】
従って，第２凝縮器２３を設けることにより，冷媒の凝縮量を増やし，又は凝縮温度を下げることができると共にヒータ加熱が不要になって，冷却効率を向上させることが可能になる。
【００２９】
【発明の効果】
請求項１にかかる本発明によれば，凝縮手段を冷媒の熱を外気に放熱させる第１凝縮器と，冷媒の熱を庫内の野菜室に放熱させる第２凝縮器とにより形成して，圧縮機から吐出された冷媒の熱の一部を庫内の野菜室に放熱するようにしたので，凝縮効率を高めることが可能になる。
【００３０】
請求項２にかかる発明によれば，第１凝縮器の下流側に第２凝縮器を配設したので，効率的に凝縮効率が高められるようになる。
【００３１】
請求項３にかかる発明によれば，少なくとも第２凝縮器と蒸発器との間に弁を設けて，圧縮機が停止した際に温度の高い冷媒が蒸発器に流入するのを防止するようにしたので，蒸発器の温度上昇スピードを遅くすることができる。
【図面の簡単な説明】
【図１】本発明にかかる冷凍冷蔵庫の側断面図である。
【図２】冷媒回路図である。
【符号の説明】
１３  断熱材
１７  野菜室
２１  圧縮機
２２  第１凝縮器
２３  第２凝縮器
２５  蒸発器
２６  差圧逆止弁
【図１】
0003789636.tif 000002
【図２】
0003789636.tif 000003